(57)【要約】  犠牲表面層または部分を有するダイカストポケットプレートまたは部材が提供される。その部材は、ダイカスト法において、合金材料によって補強されたダイカスト合金から一体のダイカストとして形成される。ダイカスト部材は、係合可能な連結器アセンブリのｏｖｅｒｒ状態時にポケット内で移動するロック部材を受け入れ、名目上保持する大きさおよび形状とされるポケットを有する連結面を含む。ダイカスト部材はまた、ダイカスト合金の補強用合金材料からなる粒子を含む、比較的硬質のベース部分を含む。ダイカスト部材は、ポケットを画定する複数の表面部分をさらに含む。表面部分の少なくとも１つのほぼ垂直な表面部分は、硬質なベース部分と比較して軟質であり、合金材料の粒子が実質的にないため、少なくとも１つのほぼ垂直な表面部分が摩耗する。【選択図】図４ａ
2013521453.tif 000002
【特許請求の範囲】
【請求項１】
ダイカスト法において、合金材料によって補強されたダイカスト合金から一体ダイカストとして形成される、係合可能な連結器アセンブリ用の連結器部材であって、
前記アセンブリのオーバーラン状態時に前記ポケット内で移動するロック部材を受け入れ、名目上保持する大きさおよび形状とされるポケットを有する連結面と、
前記ダイカスト合金の前記補強用合金材料からなる粒子を含む比較的硬質のベース部分と、
前記ポケットを画定する複数の表面部分と、
を含む連結器部材において、前記表面部分の少なくとも１つのほぼ垂直な表面部分は、前記硬質のベース部分と比較して軟質であり、前記合金材料の前記粒子が実質的にないため、前記少なくとも１つのほぼ垂直な表面部分は、前記オーバーラン状態時で、前記ロック部材が前記少なくとも１つのほぼ垂直な表面部分に接触中に摩耗または変形することを特徴とする連結器部材。
【請求項２】
請求項１に記載の連結器部材において、前記補強用合金材料は、元素Ｓｉ、Ｃｕ、Ｍｇ、Ｎｉ、Ｚｎのうちの少なくとも１つを含むことを特徴とする連結器部材。
【請求項３】
請求項１に記載の連結器部材において、前記少なくとも１つのほぼ垂直な表面部分は、外側エッジ面、入隅面、頭部エッジ面、および内側エッジ面のうちの少なくとも１つを含むことを特徴とする連結器部材。
【請求項４】
請求項１に記載の連結器部材において、前記摩耗は、研削タイプの摩耗および研磨タイプの摩耗のうちの少なくとも１つであることを特徴とする連結器部材。
【請求項５】
請求項１に記載の連結器部材において、前記ダイカスト合金は、非鉄合金であることを特徴する連結器部材。
【請求項６】
請求項１に記載の連結器部材において、ポケットプレートであることを特徴とする連結器部材。
【請求項７】
請求項１に記載の連結器部材において、前記ロック部材は、ロック用支材であることを特徴とする連結器部材。
【請求項８】
請求項１に記載の連結器部材において、前記連結面は、環状の連結面であることを特徴とする連結器部材。
【請求項９】
請求項１に記載の連結器部材において、前記連結面は複数のポケットを有し、各前記ポケットは、対応するロック部材を受け入れ、名目上保持する大きさおよび形状とされることを特徴とする連結器部材。
【請求項１０】
請求項１に記載の連結器部材において、クラッチ部材であることを特徴とする連結器部材。
【請求項１１】
請求項１に記載の連結器部材において、前記ポケットは、Ｔ字形状を有することを特徴とする連結器部材。
【請求項１２】
請求項１に記載の連結器部材において、前記ポケットは、付勢スプリングを受け入れる内部凹部を有し、前記ポケットは、スプリングポケットであることを特徴とする連結器部材。
【請求項１３】
請求項８に記載の連結器部材において、前記環状の連結面は、前記アセンブリの回転軸に沿って軸方向を向くように配置されることを特徴とする連結器部材。
【請求項１４】
請求項８に記載の連結器部材において、前記環状の連結面は、前記アセンブリの回転軸に対して半径方向を向くように配置されることを特徴とする連結器部材。
【請求項１５】
ダイカスト法において、合金材料によって補強されたダイカスト合金から一体ダイカストとして形成される、一方向クラッチアセンブリ用のポケットプレートであって、
前記アセンブリのオーバーラン状態時に前記ポケット内で移動するロック用支材を受け入れ、名目上保持する大きさおよび形状とされるポケットを有する環状連結面と、
前記ダイカスト合金の前記補強用合金材料からなる粒子を含む比較的硬質のベース部分と、
前記ポケットを画定する複数の表面部分と、
を含むポケットプレートにおいて、前記表面部分の少なくとも１つのほぼ垂直な表面部分は、前記硬質のベース部分と比較して軟質であり、前記合金材料の前記粒子が実質的にないため、前記少なくとも１つのほぼ垂直な表面部分は、前記オーバーラン状態時で、前記ロック用支材が前記少なくとも１つのほぼ垂直な表面部分に接触中に、摩耗または変形することを特徴とするポケットプレート。
【請求項１６】
請求項１５に記載のポケットプレートにおいて、前記補強用合金材料は、元素Ｓｉ、Ｃｕ、Ｍｇ、Ｎｉ、Ｚｎのうちの少なくとも１つを含むことを特徴とするポケットプレート。
【請求項１７】
請求項１５に記載のポケットプレートにおいて、前記少なくとも１つのほぼ垂直な表面部分は、外側エッジ面、入隅面、頭部エッジ面、および内側エッジ面のうちの少なくとも１つを含むことを特徴とするポケットプレート。
【請求項１８】
請求項１５に記載のポケットプレートにおいて、前記摩耗は、研削タイプの摩耗および研磨タイプの摩耗のうちの少なくとも１つであることを特徴とするポケットプレート。
【請求項１９】
請求項１５に記載のポケットプレートにおいて、前記ダイカスト合金は、非鉄系であることを特徴とするポケットプレート。
【請求項２０】
請求項１５に記載のポケットプレートにおいて、前記連結面は複数のポケットを有し、各前記ポケットは、対応するロック用支材を受け入れ、名目上保持する大きさおよび形状とされることを特徴とするポケットプレート。
【発明の詳細な説明】
【技術分野】
【０００１】
関連出願の相互参照
本願は、「一方向ラチェット式連結器またはクラッチアセンブリで使用する、犠牲表面層を有するポケットプレート（ＰＯＣＫＥＴ  ＰＬＡＴＥ  ＨＡＶＩＮＧ  Ａ  ＳＡＣＲＩＦＩＣＩＡＬ  ＳＵＲＦＡＣＥ  ＬＡＹＥＲ  ＦＯＲ  ＵＳＥ  ＩＮ  ＯＮＥ−ＷＡＹ  ＲＡＴＣＨＥＴＩＮＧ  ＴＹＰＥ  ＣＯＵＰＬＩＮＧ  ＯＲ  ＣＬＵＴＣＨ  ＡＳＳＥＭＢＬＩＥＳ）」と題し、２０１０年３月５日に出願の米国仮特許出願第６１／３１１，０３３号明細書の利益を主張し、「係合可能な連結器アセンブリで使用するダイカスト連結器部材（ＤＩＥＣＡＳＴ  ＣＯＵＰＬＩＮＧ  ＭＥＭＢＥＲ  ＦＯＲ  ＵＳＥ  ＩＮ  ＡＮ  ＥＮＧＡＧＥＡＢＬＥ  ＣＯＵＰＬＩＮＧ  ＡＳＳＥＭＢＬＹ）」と題し、２０１０年１１月３０日に出願の米国特許出願第１２／９５６，１１０号明細書に対する優先権を主張するものである。
【０００２】
本発明は、一方向クラッチアセンブリなどの係合可能な連結器アセンブリで使用する、ポケットプレートなどのダイカスト連結器部材に関する。
【背景技術】
【０００３】
一方向ラチェット式連結器またはクラッチアセンブリで使用するポケットプレートまたは部材は通常、粉末鉄合金を使用して形成される。他の金属成形技術と対照的に、粉末金属部品は粉末から直接成形され、それに対して、鋳物は溶融金属から成形される。
【０００４】
コストを削減するために、ポケットプレートを形成する他の方法が試みられてきた。例えば、米国特許第６，３３３，１１２号明細書は、積層ポケットプレートを開示している。米国特許出願公開第２００８／０１３５３６９号明細書は、型打ちしたクラッチポケットプレートを開示している。米国特許第６，１２５，９８０号明細書は、一体化アセンブリを形成するために、鋳造または型成形するなどしてハブ内に組み込まれたポケットプレートを開示している。ハブは、アルミニウム合金鋳物またはフェノール成形品で構成される。ポケットプレート自体は粉末金属部品であるのが好ましい。
【０００５】
本出願において、「連結器」という用語は、クラッチまたはブレーキを含むと解釈されるべきであり、プレートの一方は、トランスミッションのトルク送達要素に駆動可能に連結され、他方のプレートは、別のトルク送達要素に駆動可能に連結されるか、またはトランスミッションハウジングに対して静止して係止および保持される。「連結器」、「クラッチ」、および「ブレーキ」という用語は、置き替え可能に使用できる。
【発明の概要】
【０００６】
本発明の少なくとも１つの実施形態の目的は、係合可能な連結器アセンブリで使用するダイカスト連結器部材を提供することであり、その部材は、少なくとも１つのほぼ垂直な犠牲表面部分を有する。
【０００７】
本発明の少なくとも１つの実施形態の上記目的および他の目的を達成する際に、係合可能な連結器アセンブリ用の連結器部材が備えられる。連結器部材は、ダイカスト法において、合金材料によって補強されたダイカスト合金から一体のダイカストとして形成される。連結器部材は、アセンブリのオーバーラン状態時にポケット内で移動するロック部材を受け入れ、名目上保持する大きさおよび形状とされるポケットを有する連結面を含む。連結器部材はまた、ダイカスト合金の補強用合金材料からなる粒子を含む、比較的硬質のベース部分を含む。連結器部材は、ポケットを画定する複数の表面部分をさらに含む。表面部分の少なくとも１つのほぼ垂直な表面部分は、硬質のベース部分と比較して軟質であり、合金材料の粒子が実質的にないため、少なくとも１つのほぼ垂直な表面部分は、オーバーラン状態時で、ロック部材が少なくとも１つのほぼ垂直な表面部分に接触中に摩耗または変形する。
【０００８】
補強用合金材料は、元素Ｓｉ、Ｃｕ、Ｍｇ、Ｎｉ、Ｚｎのうちの少なくとも１つを含んでもよい。
【０００９】
少なくとも１つのほぼ垂直な表面部分は、外側エッジ面、入隅面（ｉｎｓｉｄｅ  ｃｏｒｎｅｒ  ｓｕｒｆａｃｅ）、頭部エッジ面、内側エッジ面のうちの少なくとも１つを含んでもよい。
【００１０】
摩耗は、研削タイプの摩耗および研磨タイプの摩耗のうちの少なくとも１つとすることができる。
【００１１】
ダイカスト合金は、非鉄合金としてもよい。
【００１２】
連結器部材はポケットプレートとしてもよい。
【００１３】
ロック部材はロック用支材としてもよい。
【００１４】
連結面は環状の連結面としてもよい。
【００１５】
連結面は複数のポケットを有することができる。各ポケットは、対応するロック部材を受け入れ、名目上保持する大きさおよび形状としてもよい。
【００１６】
連結器部材はクラッチ部材としてもよい。
【００１７】
ポケットはＴ字形状を有してもよく、ポケットは、付勢スプリングを受け入れる内部凹部を有することができて、ポケットはスプリングポケットである。
【００１８】
環状連結面は、アセンブリの回転軸に沿って軸方向を向くように配置されてもよいし、または環状連結面は、回転軸に対して半径方向を向くように配置されてもよい。
【００１９】
さらに、本発明の少なくとも１つの実施形態の上記目的および他の目的を達成する際に、一方向クラッチアセンブリ用のポケットプレートが備えられる。ポケットプレートは、ダイカスト法において、合金材料によって補強されたダイカスト合金から一体のダイカストとして形成される。ポケットプレートは、アセンブリのオーバーラン状態時にポケット内で移動するロック用支材を受け入れ、名目上保持する大きさおよび形状とされるポケットを有する環状連結面を含む。プレートはまた、ダイカスト合金の補強用合金材料からなる粒子を含む、比較的硬質のベース部分を含む。プレートは、ポケットを画定する複数の表面部分をさらに含む。表面部分の少なくとも１つのほぼ垂直な表面部分は、硬質なベース部分と比較して軟質であり、合金材料の粒子が実質的にないため、少なくとも１つのほぼ垂直な表面部分は、オーバーラン状態時で、ロック用支材が少なくとも１つのほぼ垂直な表面部分に接触中に摩耗または変形する。
【００２０】
連結面は複数のポケットを有することができる。各ポケットは、対応するロック用支材を受け入れ、名目上保持する大きさおよび形状としてもよい。
【００２１】
本発明の上記の目的および他の目的、特徴、ならびに利点が、添付の図面と併せて利用した場合に、本発明を実施する最良のモードについての以下の詳細な説明から容易に分かるであろう。
【図面の簡単な説明】
【００２２】
【図１ａ】図１ａは、本発明の少なくとも１つの実施形態に従って構築された一方向クラッチまたは連結器アセンブリ（図示せず）の、全体として１０で示したオーバーランポケットプレートまたは部材の写実的斜視図である。
【図１ｂ】図１ｂは、図１ａに１ｂで表記した円内を切り取った写実的部分破断拡大斜視図である。
【図２】図２は、中実鋳造されたプレート１０の鋳物ミクロ組織を示す、鋳物ポケットプレート１０の外側面部分の金属組織断面図である。
【図３】図３は、ポケットプレート１０のポケット１２の１つ内に受け入れられ、名目上保持される支材４８の断面図を加えた、全体として４８で示す支材またはつめの概略斜視図である。
【図４ａ】図４ａは、ポケットプレート１０のオーバーラン方向と、スプリングで付勢された支材４８に作用する、結果として生じる遠心力とを示す写実的部分破断斜視図である。
【図４ｂ】図４ｂは、垂直な外側エッジ面２６が、鋳造金型のために必要な小さい抜き勾配を最初に有することを示すために載せられた説明文を含む、ポケット１２の一部切欠写実的部分破断拡大斜視図である。
【図５ａ】図５ａは、図４ｂの図と同様なポケットプレート１０の図である。
【図５ｂ】図５ｂは、図５ａの５ｂ−５ｂ線に沿って切り取った、ポケットプレート１０のポケット１２を示す概略側面図であり、ポケット１２の壁または面２６は、角度（すなわち、図３のθ）が付いている。
【図６】図６は、支材４８がノッチプレートに対してそのロック機能を果たした場合の、ポケットプレート１０のスプライン２０にかかる歯の反動荷重と、支材４８の端面５２に加わる荷重と、第１の端面５２に加わる荷重に応じて、支材４８の第２の端面５０によって生じるポケットプレート１０の高圧縮応力領域とを示す、さらに別の一部切欠写実的部分破断図である。
【図７ａ】図７ａは、支材４８が、ポケット１２の様々な犠牲層画定面２６、２８、３０、３２を摩耗させた後の、図４ｂおよび図５ａの図と同様の図である。
【図７ｂ】図７ｂは、図７ａの面２６、２８を含む電子顕微鏡画像である。
【図７ｃ】図７ｃは、図７ｂに表記「７ｃ」で示された拡大図であり、摩耗と、明らかに変形した金属の段部とが面２８に見られる。
【図７ｄ】図７ｄは、図７ｂに表記「７ｄ」で示された拡大図であり、摩耗と、明らかに変形した金属の段部とが面２６に見られる。
【発明を実施するための形態】
【００２３】
図１ａは、本発明の少なくとも１つの実施形態に従って構築された一方向クラッチまたは連結器アセンブリ（図示せず）の、全体として１０で示したオーバーランポケットプレートの写実的斜視図である。図１ｂは、図１ａに１ｂで表記した円内を切り取った写実的部分破断拡大斜視図である。プレート１０は、ポケットプレート１０の半径方向に延びる面または表面１６内で、回転軸１４または回転の中心線（図３および図５ｂ）のまわりに円周方向に離間した、全体として１２で示す複数のポケットまたは凹部を含む。ポケット１２は、液体金属、永久鋳型によるダイカスト法でポケット１２をダイカスト鋳造するのを可能にする大きさおよび形状とされる。プレート１０は、回転部材（図示せず）と駆動可能に係合するためにスプライン２０が形成されたポケットプレート内径部において、軸方向に延びる内側面１８（図３）を有する。プレート１０はまた、スプライン２４が形成された、軸方向に延びる外側面２２を有する。
【００２４】
各凹部またはポケット１２はＴ字形状であり、外側エッジ面２６、入隅面２８、頭部エッジ面３０、内側エッジ面３２、および内部凹面３４によって部分的に画定される。
【００２５】
一体型のポケットプレート１０は、アルミニウムシリコン（Ａｌ−Ｓｉ）ダイカスト合金などの非鉄鋳造合金から、一体のダイカストとして形成されるのが好ましい。アルミニウムはシリコンによって補強され、次の合金元素、Ｃｕ、Ｍｇ、Ｎｉ、Ｚｎの１つまたは複数によって補強することもできる。例えば、材料は、アルミニウム合金３８０または３９０鋳造材料とすることができる。ただし、当然ながら、他の非鉄ダイカスト合金も、ダイカスト法でポケットプレート１０を形成するのに使用することができる。
【００２６】
図２は、中実鋳造されたプレート１０の鋳物ミクロ組織を示す、鋳物ポケットプレート１０の外側面部分の金属組織断面図である。非鉄アルミニウムシリコン合金の液体金属ダイカスト固化プロセス時に、外側面の比較的「軟質な外皮」の層４０が、ポケットプレート１０の比較的硬質のベース部または基材部分４２に面してできる。したがって、層４０は、ポケット１２の面２６、２８、３０、３２、およびポケットプレート１０の面１８、２２、１６を形成または画定する。ベース部または基材層材料４２の複合材は、非常に硬質（すなわち、ロックウェル硬度＞６０）の埋設シリコン粒子４４を有する。これは、粒子４４などの初晶シリコン粒子のない層４０と対照的である。言い換えると、層４０は、シリコンが大幅に欠乏した表面層４０である。
【００２７】
図３は、ポケットプレート１０のポケット１２の１つ内に受け入れられ、名目上保持される支材４８の断面図を加えた、全体として４８で示す支材またはつめの概略斜視図で構成されている。各支材４８については、ポケットプレート１０およびノッチプレート（図示せず）が、互いに対してオーバーランすることができる、図４ａに示したオーバーラン方向と反対の方向に互いに対して回転しようとする場合に、ポケットプレート１０をノッチプレートまたは部材に機械的に連結する、米国特許第６，０６５，５７６号明細書に示したタイプが一般的である。
【００２８】
図３の概略斜視図に示すように、各支材４８は、それぞれ第１の端面５０および第２の端面５２と、反対方向に突出した一対の耳部５４とを含み、耳部５４は、第１の端面５０に最も近接して支材４８から横方向に延びている。耳部５４は、面２８、３０を含むそのそれぞれのポケットの相補的な内面と共同して係合し、それによって、そのそれぞれのポケット１２内で、第１の端面５０を含む支材４８の第１の端部を名目上位置決めする。
【００２９】
ノッチプレート（図示せず）の各ロック用形成物またはノッチは、支材の自由端が、例えば、そのポケット１２の内部凹面３４内で、各支材４８の下に着座するスプリング５６によってノッチに押し付けられた場合に、支材４８の第２の端面５２を含む支材４８の自由端を受けるように構成される。
【００３０】
各支材端面５０、５２は、支材４８の上側面５８に対して公称角をなして傾いた、実質的に平面状の部分を含むことが好ましい。その平面部は、実質的に互いに平行である。同様に、各耳部５４は、ノッチプレートとの干渉を防止する、傾斜した上側面６０を有する。最後に、各支材４８は、離間した側面６２を含む。
【００３１】
図３の断面図は、各ポケット１２内の支材４８の動的係合解析を提示し、支材４８に作用する様々な力が図示され、以下の通り説明される。
ＦＲ＝合成した支材力。支材４８をそのポケット１２の外に押し出すのに利用できる力（すなわち、支材４８に作用する合力）。
ＦＳ＝スプリング力。ノッチプレート（図示せず）と係合させるために、支材４８をそのポケット１２の外に押し出すのに使用される、スプリング５６によって生じる力。
ＦＣ＝遠心力。動作時のポケットプレート１０の回転による支材４８の有効重量。（ポケットプレートの壁２６にかかる支材４８の力）。
ＦＦ＝摩擦力。この力は、ポケットプレート１０に作用する支材４８の有効重量（遠心力）によって生じる。回転速度が速いほど摩擦力は大きい。この力は、支材４８がそのポケット１２の外に押し進むのを妨げる。
ＦＰ＝支材押し進み力。ポケットプレートの壁２６に角度が付いていることで、支材４８が、ポケットプレート１０の外に押し進む。これは、ポケットプレート１０の回転によって生じる遠心力に起因する。
ＦＬ＝流体力。この力は、ノッチプレートに係合する場合に、支材４８がトランスミッション液を移動させる効果によって生じる。実験式から、この力は効果が最小限であると分かっており、この力については無視する。
【００３２】
図３のポケットプレート（すなわち、ＰＰ）、および付属する支材４８は、次の事例で特に有用である。
・ＰＰの連続するオーバーラップの％が高く、ＮＰ（すなわち、ノッチプレート）が停止している（すなわち、静止している）。
・ロック後、ＰＰが静止する（すなわち、０ＲＰＭ）。
・ＰＰのＲＰＭが通常０から７００ＲＰＭまで変化する。
【００３３】
図４ａは、ポケットプレート１０のオーバーラン方向と、スプリングで付勢された支材４８に作用する、結果として生じる遠心力とを示す部分切欠写実的部分破断斜視図である。
【００３４】
図４ｂは、垂直な外側エッジ面２６が、鋳造金型のために必要な小さい抜き勾配を最初に有することを示すために載せられた説明文を含む、ポケット１２の部分切欠写実的部分破断拡大斜視図である。同様に、支材４８の側部エッジ面６２のエッジによって摩耗するとして表面２６が指し示されている。
【００３５】
図５ａは、図４ｂの図と同様なポケットプレート１０の図である。
【００３６】
図５ｂは、図５ａの５ｂ−５ｂ線に沿って切り取った、ポケットプレート１０のポケット１２を示す概略側面図であり、ポケット１２の壁または面２６は、角度（すなわち、図３のθ）が付いている。壁または面２６の比較的軟質の表面層４０は、オーバーラン中に、ポケット１２内での比較的硬質の支材４８の上下運動のために、効果的に機械削りされる、すなわち、研削された形で摩耗する。支材４８は、遠心力を受けて、図５ｂに矢印で示すように、その破線の位置まで左に移動し、支材４８の側面６２の１つの下側エッジにより、それまでは角度が付いていた面２６がなくなって、実質的に垂直な面が形成される。言い換えると、ポケット壁または面２６のわずかな抜き勾配が小さくなって、より垂直になり、垂直面２６の下に「段」ができる。結果として得られた垂直面２６は、オーバーラン状態時に、支材４８が安定した状態のままそのポケット１２に保持されるのを保証する。アブレシブ摩耗または機械削りは、支材４８の側面６２の下側エッジが、ベース層４２の硬い方の基材と接触するまで、引き続き犠牲層４０に作用する。
【００３７】
図６は、支材４８がノッチプレートに対してそのロック機能を果たした場合の、ポケットプレート１０のスプライン２０にかかる歯の反動荷重と、支材４８の端面５２に加わる荷重と、第１の端面５２に加わる荷重に応じて、支材４８の第２の端面５０によって生じるポケットプレート１０の高圧縮応力領域とを示す、さらに別の写実的部分破断図である。ポケット１２の圧縮応力領域または頭部エッジ３０はまた、支材４８の上下運動により研磨タイプの摩耗を受ける。さらに、内側エッジまたは面３２は、あまり深刻でない摩耗を受ける。
【００３８】
図７ａは、支材４８が、ポケット１２の様々な犠牲層画定面２６、２８、３０、３２を摩耗させた後の、図４ｂおよび図５ａの図と同様の図である。図７ｂは、図７ａの面２６、２８を含む電子顕微鏡画像である。各面２６、２８のアブレシブ摩耗がはっきり分かる。図７ｃは、図７ｂに表記「７ｃ」で示された拡大図であり、摩耗と、明らかに変形した金属の段部とが面２８に見られる。図７ｄは、図７ｂに表記「７ｄ」で示された拡大図であり、摩耗と、明らかに変形した金属の段部とが面２６に見られる。再度、摩耗および変形は、プレート１０が回転し、それにより、支材４８が、遠心力によって横に移動して面２６に押し当てられた場合に、支材４８の上下運動によって生じる。
【００３９】
例示的な実施形態が上記に説明されたが、これらの実施形態が、本発明の可能な形態すべてを示すことを意図するものではない。むしろ、本明細書で使用された文言は、限定するのではなくて説明する文言であり、本発明の趣旨および範囲から逸脱することなく、様々な変更を行うことができるのは当然のことである。さらに、実現した様々な実施形態の特徴を組み合わせて本発明の別の実施形態を形成することができる。
【図１ａ】
2013521453.tif 000003
【図１ｂ】
2013521453.tif 000004
【図２】
2013521453.tif 000005
【図３】
2013521453.tif 000006
【図４】
2013521453.tif 000007
【図５】
2013521453.tif 000008
【図６】
2013521453.tif 000009
【図７ａ】
2013521453.tif 000010
【図７ｂ】
2013521453.tif 000011
【図７ｃ】
2013521453.tif 000012
【図７ｄ】
2013521453.tif 000013
【国際調査報告】
2013521453.tif 000014